(57)【要約】【課題】  両面回路基板を用いることなく、片面回路基板でキースイッチモジュールのスイッチ構造を構成することで、キースイッチモジュールの低廉化を図る。【解決手段】  ＦＰＣ基板４の上面に形成される第１固定接点５と、この第１固定接点５の周囲を取り囲むように形成され、且つ第１固定接点５から延びる配線パターン７を通すための配線通路８を有する第２固定接点６と、前記第１固定接点５の上方を覆うようにして第２固定接点６上に配置され、常時は第１固定接点５と非接触の略ドーム状の可動接点９とを備え、前記可動接点９の周縁部には第２固定接点６と接触する導通部９ａと、前記第１固定接点５から延びる配線パターン７との非接触を保持するように前記配線通路８を跨ぐ非導通部９ｂとを有してなる。【選択図】      図２
2005166503.tif 000002
【特許請求の範囲】
【請求項１】
基板上面に形成される第１固定接点と、
この第１固定接点の周囲を取り囲むように形成され、且つ第１固定接点から延びる配線パターンを通すための配線通路を有する第２固定接点と、
前記第１固定接点の上方を覆うようにして第２固定接点上に配置され、常時は第１固定接点と非接触の略ドーム状の可動接点とを備え、
前記可動接点の周縁部には第２固定接点と接触する導通部と、前記第１固定接点から延びる配線パターンとの非接触を保持するように前記配線通路を跨ぐ非導通部とを有してなることを特徴とするキーシートモジュールのスイッチ構造。
【請求項２】
前記非導通部が、前記可動接点の周縁部の一部を欠如することによって形成されてなる請求項１記載のキーシートモジュールのスイッチ構造。
【請求項３】
前記非導通部が、前記可動接点の周縁部の一部を略Ｄ字状に欠如することによって形成されてなる請求項１又は２記載のキーシートモジュールのスイッチ構造。
【請求項４】
前記非導通部が可動接点の両側に一対形成され、可動接点の全体形状を略矩形状とした請求項３記載のキーシートモジュールのスイッチ構造。
【請求項５】
前記可動接点に形成された導通部の内径寸法に対する両側一対の非導通部間の距離寸法の比率が約８０％以上である請求項４記載のキーシートモジュールのスイッチ構造。
【請求項６】
前記導通部と非導通部との間に曲面部が形成されてなる請求項５記載のキーシートモジュールのスイッチ構造。
【発明の詳細な説明】
【技術分野】
【０００１】
この発明は、携帯電話等の小型電子機器に使用されるキーシートモジュールのスイッチ構造に関する。
【背景技術】
【０００２】
従来、携帯電話等の電子機器には、フレキシブルのプリント配線基板（ＦＰＣ基板）に接点スイッチやＬＥＤ等の部品が実装されたキーシートモジュールが採用されており、このキーシートモジュールは複数のキートップが一体に形成されたキーパットの下面に配置されている（特許文献１の従来技術参照）。図６は、上記従来におけるキーシートモジュールのスイッチ部分の平面図を示したものであり、図７はそのスイッチ部分の断面図を示したものである。図６及び図７において、両面ＦＰＣ基板８２の上面には、円板状の第１固定接点８６と、この第１固定接点８６を囲むように配された略円環状の第２固定接点８７がパターン形成されており、前記第１固定接点８６は、ＦＰＣ基板８２を穿って形成されたスルーホール８２ａを介して基板下面の配線パターン８８に接続されている。一方、第２固定接点８７は、基板上面の配線パターン８９に接続されている。そして、この第１固定接点８６及び第２固定接点８７の上方にはドーム状の可動接点９０が配置され、この可動接点９０の下部周縁が第２固定接点８７の上面に接触されていると共に、該可動接点９０の上部を覆うようにしてスイッチ固定用シート９１が粘着固定されている。
【０００３】
次に、上記構成からなるキーシートモジュールのスイッチの作用について説明する。通常、可動接点９０は第２固定接点８７に接しているが、第１固定接点８６とは離れているため、スイッチがオフの状態にある。この状態で、スイッチ固定用シート９１の上から可動接点９０の頂部が下方に押されると、該可動接点９０が弾性的に撓んで第１固定接点８６に接触し、第１固定接点８６と第２固定接点８７とが導通してスイッチがオンになる。そして、スイッチを押した状態を解除すると、可動接点９０が自身の反力によって元の状態に復帰し、スイッチが再びオフとなる。
【特許文献１】特開２００３−９２０４２号公報
【発明の開示】
【発明が解決しようとする課題】
【０００４】
しかしながら、上記従来のキーシートモジュールのスイッチ構造では、可動接点９０の下端周縁が第２固定接点８７の上面に接触しているため、中央部に位置する第１固定接点８６と下面の配線パターン８８とをＦＰＣ基板８２に設けたスルーホール８２ａを介して導通させなければならず、このような両面回路基板を用いなければならない点でコストアップとなってしまう問題を有していた。
【０００５】
そこで、本発明は、上記キーシートモジュールのコストダウンを図ることのできるスイッチ構造の提供を目的としている。
【課題を解決するための手段】
【０００６】
上記課題を解決するために、本発明に係るキースイッチモジュールのスイッチ構造は、基板上面に形成される第１固定接点と、この第１固定接点の周囲を取り囲むように形成され、且つ第１固定接点から延びる配線パターンを通すための配線通路を有する第２固定接点と、前記第１固定接点の上方を覆うようにして第２固定接点上に配置され、常時は第１固定接点と非接触の略ドーム状の可動接点とを備え、前記可動接点の周縁部には第２固定接点と接触する導通部と、前記第１固定接点から延びる配線パターンとの非接触を保持するように前記配線通路を跨ぐ非導通部とを有してなることを特徴とする。
【０００７】
本発明では、上記可動接点の非導通部は、前記可動接点の周縁部の一部を欠如することによって形成することができる。
【０００８】
また、前記可動接点の周縁部の一部を略Ｄ字状に欠如し、両側に一対の非導通部を形成することによって、全体を略矩形状の可動接点として構成することができる。
【０００９】
また、前記可動接点の両側に一対の非導通部を形成した場合、導通部の内径寸法に対する非導通部間の距離寸法の比率を約８０％以上とすることが望ましい。
【発明の効果】
【００１０】
本発明に係るキースイッチモジュールのスイッチ構造によれば、可動接点に非導通部を形成すると共に、第２固定接点の配線通路に第１固定接点に接続される配線パターンを通らせるように構成したので、両面回路基板を用いることなく、片面回路基板でキースイッチモジュールを構成することが可能となり、キースイッチモジュールの低廉化を図ることができるものである。
【発明を実施するための最良の形態】
【００１１】
以下、添付図面に基づいて、本発明を実施するための最良の形態を説明する。図１は本発明に係るキーシートモジュールのスイッチ構造の適用例を示す断面図、図２は本発明のスイッチ構造の第１の実施形態を示す平面図、図３は前記スイッチ構造の断面図である。
【００１２】
図１乃至図３に示す携帯電話のキースイッチ構造において、携帯電話の上側ボディ面１の下面には、複数のキートップ２を有するキーパット３が配置されており、このキーパット３の下面には、キートップ２の押圧操作によりオン・オフ動作するスイッチが搭載された片面ＦＰＣ基板４が配置されている。
【００１３】
前記片面ＦＰＣ基板４の上面には、円板状の第１固定接点５と、この第１固定接点５を囲むように配置された略円環状の第２固定接点６がパターン形成されている。前記第１固定接点５には図２において上下方向に延びる配線パターン７が接続される。また、前記第２固定接点６には前記配線パターン７を通すための配線通路８が切欠き形成され、配線パターン７が第２固定接点６と接触しないようになっている。
【００１４】
なお、図１において、符号１２はキートップ２のバックライトとしての機能をなす発光ダイオードである。
【００１５】
前記第１固定接点５及び第２固定接点の上方を覆うようにして略ドーム状の可動接点９が配置されている。この可動接点９はバネ性を備えた接点であり、図２に示したように、本来のドーム形状から第２固定接点６の配線通路８に対応する両側の部位を略Ｄ字状にカットして、全体が略矩形状となっている。そのため、この可動接点９には第２固定接点６に接触する導通部９ａが周縁の下端に円弧状に形成される一方、前記の略Ｄ字状にカットした直線状の部位には非導通部９ｂが形成され、この非導通部９ｂは、通常状態で、第１固定接点５に接続された配線パターン７及び第２固定接点６とは接触しない。なお、この可動接点９は、上面がスイッチ固定用シート１０に粘着固定された状態で配置され、且つ配線パターン１１と接続されている。
【００１６】
本発明にあっては、上記の前記可動接点９の非導通部９ｂ及び第２固定接点６の配線通路８は、第１固定接点５に接続される配線パターン７の数に応じて任意に設けられる。例えば、配線パターン７が１本であれば、非導通部９ｂ及び配線通路８は各々１箇所ずつ設ければよいことになる。また、本実施例のように配線パターン７が逆向きに２本延びている場合には各々２個所ずつ設けることになる。この選択は、必要に応じて適宜に行えばよい。
【００１７】
上述したキーシートモジュールのスイッチ構造にあっては、通常、可動接点９は、配線通路８に対応する部分を除いて第２固定接点６に接触する一方、第１固定接点５とは離れているのでオフ状態になっている。この状態から任意のキートップ２を下方に押すと、当該キートップ２に対応する可動接点９がキートップ２に押されて弾性的に撓み、第１固定接点５に接触する。この可動接点９の接触によって第１固定接点５と第２固定接点６とが導通してスイッチがオンになる。一方、キートップ２の押した状態を解除すると、可動接点９が自身の反力によって元の状態に復帰し、スイッチがオフとなる。
【００１８】
本発明のキーシートモジュールのスイッチ構造は、上述した如く、可動接点９に非導通部９ｂを形成すると共に、第２固定接点６に配線通路８を形成し、この配線通路８に第１固定接点５に接続された配線パターン７を配設するように構成したので、従来のような両面回路基板を用いることなく、片面回路基板でキーシートモジュールを構成することが可能となり、キーシートモジュールの低コスト化を実現することができる。
【００１９】
図４は、上記可動接点９の他の実施形態を示したものである。この実施形態では全体が略ドーム形状をなす可動接点９の非導通部９ｂを、湾曲状に切り欠いて形成している。このように、非導通部９ｂを湾曲状に形成することで、非導通部９ｂと配線パターン７及び第２固定接点６との離間距離が大きくなり、可動接点９を前記実施形態１のものより薄型に形成することが可能となる。なお、前記非導通部９ｂの形状は、凹状に切り欠かれたものであれば図４の形状に限定されるものではなく、例えば略Ｖ字状に形成してあっても良い。
【００２０】
図５は、上記可動接点９のさらに他の実施形態を示したものである。この実施形態における可動接点９は、導通部９ａの内径φＤに対する非導通部９ｂ，９ｂ間の距離ｄの比率、ｄ／φＤを８０％以上に設定すると共に、このように設定することで導通部９ａと非導通部９ｂとの間を滑らかにつなげて、先の実施形態のような角をなくした曲面部１５としたことに特徴がある。
【００２１】
このように、導通部９ａの内径φＤに対する非導通部９ｂ，９ｂ間の距離ｄの比率を大きく設定することで、非導通部９ｂの切欠き長さを大きくして可動接点９全体の面積を小さくしたとしても、キートップ２を押した時に良好なクリック感が得られると共に、押圧力も低下させずに済む。また、導通部９ａと非導通部９ｂとの間に曲面部１５を形成することで、ＦＰＣ基板４に前記曲面部１５が接触しても基板面を傷つけるようなことがない。なお、このような導通部９ａと非導通部９ｂ，９ｂ間の比率および曲面部１５の形成は、本実施形態に限られることなく、上記実施形態１及び実施形態２の場合にも適用できるものである。
【産業上の利用可能性】
【００２２】
本発明は電子機器のスイッチ構造を提供するものであるが、携帯電話等の小型電子機器に限られることなく、自動販売機等の大型電気機器等にも広範囲に適用できる。
【図面の簡単な説明】
【００２３】
【図１】本発明に係るキーシートモジュールのスイッチ構造の適用例を示す断面図である。
【図２】本発明に係るキーシートモジュールのスイッチ構造の第１実施形態を示す平面図である。
【図３】前記スイッチ構造の要部を示す斜視図である。
【図４】本発明に係るキーシートモジュールのスイッチ構造の第２実施形態を示す平面図である。
【図５】本発明に係るキーシートモジュールのスイッチ構造の第３実施形態を示す平面図である。
【図６】従来のキーシートモジュールのスイッチ構造の一例を示す平面図である。
【図７】前記図６におけるキーシートモジュールのスイッチ構造を示す断面図である。
【符号の説明】
【００２４】
４  ＦＰＣ基板
５  第１固定接点
６  第２固定接点
７  配線パターン
８  配線通路
９  可動接点
９ａ  導通部
９ｂ  非導通部
１５  曲面部
【図１】
2005166503.tif 000003
【図２】
2005166503.tif 000004
【図３】
2005166503.tif 000005
【図４】
2005166503.tif 000006
【図５】
2005166503.tif 000007
【図６】
2005166503.tif 000008
【図７】
2005166503.tif 000009